(57)【特許請求の範囲】
【請求項１】
複数の階層を有する建物であって、
上階と下階とを隔てる床スラブの少なくとも一部を構成し、下面が下階の第１天井面となる第１スラブ部と、
前記第１スラブ部と略同一の厚みを有し、前記第１スラブ部に対して上階側または下階側にずれて配置されて下面が前記第１天井面に対して段差を有する下階の第２天井面となる第２スラブ部と、
前記第１天井面および前記第２天井面のうち下方側となる天井面に沿って当該天井面から側方に向けて張り出し、前記第１天井面および前記第２天井面のうち上方側となる天井面に間隔を空けて重ねて配置される板状の張出し部と、を有し、
前記第１スラブ部と前記第２スラブ部とは側面視で上下方向に重なることを特徴とする建物。
【請求項２】
前記第１スラブ部の上面で構成される第１床面と前記第２スラブ部の上面で構成される第２床面との間に形成される段差の位置と、
前記第１天井面と前記第２天井面との間に形成される段差の位置とが、平面視で同一である、請求項１に記載の建物。
【請求項３】
前記第１天井面および前記第２天井面のうち上方側となる天井面と前記張出し部との間に照明器具が配置されていることを特徴とする、請求項１または２に記載の建物。
【請求項４】
前記第１天井面および前記第２天井面のうち上方側となる天井面に白色系の壁紙が貼られていることを特徴とする、請求項１〜３の何れか１項に記載の建物。
【請求項５】
前記第１天井面および前記第２天井面のうち上方側となる天井面に表面に粗面処理が施された壁紙が貼られていることを特徴とする、請求項１〜４の何れか１項に記載の建物。
【請求項６】
前記床スラブを挟んだ上階と下階のうち前記第１スラブ部に対して前記第２スラブ部がずれる側とは反対側の階層にキッチンが設けられていることを特徴とする、請求項１〜５の何れか１項に記載の建物。
【発明の詳細な説明】
【技術分野】
【０００１】
本発明は、例えば住宅等の建物に関し、特に、床スラブにより互いに隔てられた複数の階層を有する建物に関する。
【背景技術】
【０００２】
従来から、例えば２階建て住宅や３階建ての住宅など、床スラブにより互いに隔てられた複数の階層を有する建物として、下階に設けられたリビングルーム等の居室の天井を折上げ天井（二重天井）に構成したものが知られている。
【０００３】
折上げ天井は、天井面の一部分を天井の懐空間内に段差状に折り上げて構成されるものである。このような折上げ天井を設けることにより、居室の天井高つまり床面から天井面までの高さを高くして居室を広く感じさせることができる（例えば特許文献１参照）。
【先行技術文献】
【特許文献】
【０００４】
【特許文献１】特開２００４−０１１１５４号公報
【発明の概要】
【発明が解決しようとする課題】
【０００５】
しかしながら、折上げ天井は天井面の一部を天井の懐空間内に向けて折り上げて構成されるので、懐空間の内部に上階の床を支持する梁等が設けられている領域には折上げ天井を設けることができず、また、天井の懐空間の厚みの範囲内でしか天井高を高めることができないなど、その設置領域や高さに制約が多かった。また、天井を折上げ天井に構成すると、上階の床面と下階の天井面との間の寸法が小さくなるので、上階と下階との間の遮音性を確保することが困難になるという問題点もあった。
【０００６】
本発明は、このような点を解決することを課題とするものであり、その目的は、大きさや高さの制約が少なく、且つ、遮音性を確保しつつ天井高を高めることができるとともに美観が高められた天井構造を有する建物を提供することにある。
【課題を解決するための手段】
【０００７】
本発明の建物は、複数の階層を有する建物であって、上階と下階とを隔てる床スラブの少なくとも一部を構成し、下面が下階の第１天井面となる第１スラブ部と、前記第１スラブ部と略同一の厚みを有し、前記第１スラブ部に対して上階側または下階側にずれて配置されて下面が前記第１天井面に対して段差を有する下階の第２天井面となる第２スラブ部と、前記第１天井面および前記第２天井面のうち下方側となる天井面に沿って当該天井面から側方に向けて張り出し、前記第１天井面および前記第２天井面のうち上方側となる天井面に間隔を空けて重ねて配置される板状の張出し部と、を有することを特徴とする。
【０００８】
本発明の建物は、上記構成において、前記第１天井面および前記第２天井面のうち上方側となる天井面と前記張出し部との間に照明器具が配置されているのが好ましい。
【０００９】
本発明の建物は、上記構成において、前記第１天井面および前記第２天井面のうち上方側となる天井面に白色系の壁紙が貼られているのが好ましい。
【００１０】
本発明の建物は、上記構成において、前記第１天井面および前記第２天井面のうち上方側となる天井面に表面に粗面処理が施された壁紙が貼られているのが好ましい。
【００１１】
本発明の建物は、上記構成において、前記床スラブを挟んだ上階と下階のうち前記第１スラブ部に対して前記第２スラブ部がずれる側とは反対側の階層にキッチンが設けられているのが好ましい。
【発明の効果】
【００１２】
本発明によれば、床スラブの厚みが一定の領域の一部をその厚みを一定としたまま上階側または下階側にずらして所望の階層の天井高を高めるようにしたので、天井高が高められる領域の大きさや高さの制約を少なくし、且つ、遮音性を確保しつつ天井高を高めることができる。また、床スラブの一部を上階側または下階側にずらすことにより下階の天井部分に生じる段差部分に、その段差の下方側となる天井面に沿って張り出すとともに上方側の天井面に間隔を空けて重ねて配置される張出し部を設けるようにしたので、当該張出し部により段差部分における室内空間の連続感を高めて当該階層の天井部分の美観を高めることができる。
【００１３】
このように、本発明によれば、大きさや高さの制約が少なく、且つ、遮音性を確保しつつ天井高を高めることができるとともに美観が高められた天井構造を有する建物を提供することができる。
【図面の簡単な説明】
【００１４】
【図１】本発明の一実施の形態である建物を模式的に示す図である。
【図２】図１に示す建物の天井の段差部分を拡大して示す図である。
【図３】張出し部への照明器具の配置の一例を模式的に示す図である。
【図４】図３に示す張出し部への照明器具の配置の変形例を示す図である。
【図５】図２に示す張出し部の変形例を示す図である。
【図６】本発明が適用された住宅の一例を示す図であって、（ａ）は二階部分の間取り図であり、（ｂ）は三階部分の間取り図である。
【図７】本発明が適用された住宅の他の例を示す図であって、（ａ）は一階部分の間取り図であり、（ｂ）は二階部分の間取り図である。
【図８】本発明が適用された住宅のさらに他の例を示す図であって、（ａ）は一階部分の間取り図であり、（ｂ）は二階部分の間取り図である。
【発明を実施するための形態】
【００１５】
以下、図面を参照して、本発明をより具体的に例示説明する。
【００１６】
図１に示す本発明の一実施の形態である建物１は、鉄骨造の軸組みを有する三階建ての工業化住宅であり、一階部分２、二階部分３および三階部分４の３つの階層を有している。一階部分２と二階部分３は床スラブ５で隔てられ、二階部分３と三階部分４は床スラブ６で隔てられている。床スラブ５は建物１の二階部分３の床の荷重を支持する床構造であり、床スラブ６は建物１の三階部分４の床の荷重を支持する床構造である。
【００１７】
詳細は図示しないが、この建物１の一階部分２には玄関や納戸、浴室等が設けられ、二階部分３にはリビングルーム（居間）、ダイニングルーム（食事室）およびキッチン（台所）等が設けられ、三階部分４には寝室等の居室が設けられる。また、二階部分３には、床スラブ６の一部が切り欠かれることにより三階部分４の天井面４ａにまで達する吹抜け７が設けられている。
【００１８】
この建物１では、二階部分３と三階部分４とを隔てる床スラブ６の一部を他の部分に対して上階側にずらして二階部分３の天井高つまり床面３ｂから天井面３ａまでの高さを部分的に高めるようにしている。二階部分３の天井高を、例えばリビングルーム等の居室が設けられる領域において部分的に高めることにより、当該居室に開放感を与え、これにより居室を広く感じさせてその快適性を高めることができる。
【００１９】
より具体的に説明すると、床スラブ６は、この建物１の躯体に基準の高さで支持されて床スラブ６の一部を構成する第１スラブ部６ａと、この第１スラブ部６ａに対して上階側つまり三階部分４の側に所定高さだけずれて配置される第２スラブ部６ｂとを有している。
【００２０】
第２スラブ部６ｂは、例えば、床スラブ６の建物１の鉄骨造の躯体のグリッドに合わせた領域に設けることができる。このような構成により、第２スラブ部６ｂを躯体に簡単な構成で確実に支持させることができる。また、この場合、第１スラブ部６ａを支持する梁の上方に他の梁を重ねて配置し、当該上方側に重ねた梁により第２スラブ部６ｂを支持させる構成とすることができる。このような構成により、簡単な構成で第２スラブ部６ｂを第１スラブ部６ａよりも上階側において確実に躯体に支持させることができる。
【００２１】
第１スラブ部６ａに対する第２スラブ部６ｂの上階側へのずらし量（シフト量）は、例えば３０ｃｍ程度に設定することができる。
【００２２】
第１スラブ部６ａと第２スラブ部６ｂは、床スラブ６の厚み（二階部分３の天井面３ａから三階部分４の床面４ｂまでの厚み）が略一定となる領域に設けられ、つまり第２スラブ部６ｂの厚みは第１スラブ部６ａの厚みと略同一となっている。
【００２３】
なお、図示する場合では、床スラブ６は、その全領域においてその厚みが一定となっているが、床スラブ６を厚みが一定の領域の他に厚みが相違する領域を有する構成のものとすることもできる。この場合、第１スラブ部６ａと第２スラブ部６ｂは、何れも床スラブ６の厚みが一定の領域に設けられることになる。
【００２４】
このように、本発明の建物１では、床スラブ６の厚みが一定の領域の一部分を構成する第１スラブ部６ａに対して、第１スラブ部６ａと略同一の厚みの第２スラブ部６ｂを第１スラブ部６ａに対して上階側にずらすようにしたので、天井高が高められる領域の大きさや高さの制約を少なくし、且つ、床スラブ６の厚みを減らすことなく二階部分３の天井高を部分的に高めることができる。これにより、床スラブ６の厚みを所定の厚みに確保して二階部分３と三階部分４との間の床スラブ６による遮音性を確保しつつ二階部分３の所望の領域の天井高を部分的に高くすることができる。
【００２５】
第２スラブ部６ｂが第１スラブ部６ａに対して三階部分４の側に所定高さだけずれて配置されることにより、三階部分４の床面４ｂには、第１スラブ部６ａの上面により形成される第１床面４ｂ１と、第２スラブ部６ｂの上面により形成される第２床面４ｂ２とが設けられることになる。第２床面４ｂ２は、第１床面４ｂ１に対して上方にずれて当該第１床面４ｂ１に対して段差を有しており、一方で三階部分４の天井高は一定であるので、三階部分４の第２床面４ｂ２に対応する領域は第１床面４ｂ１に対応する領域よりも天井高が低くなる。したがって、第２床面４ｂ２は、例えば寝室や納戸などの天井高をあまり必要としない領域に設けられるようにするのが好ましい。
【００２６】
この建物１においては、キッチンは、上記のように第１スラブ部６ａに対して第２スラブ部６ｂがずらされることにより天井高が上げられることになる二階部分３に設けられる。このような構成とすることにより、キッチンとともに二階部分３に設けられるリビングルームやダイニングルーム等の居室の天井高を高めて、当該居室の快適性を高めることができる。
【００２７】
上記構成により二階部分３の天井高が高められると、二階部分３の天井面３ａには、第１スラブ部６ａの下面により形成される第１天井面３ａ１と、第２スラブ部６ｂの下面により形成される第２天井面３ａ２とが設けられることになる。第２天井面３ａ２は、第１天井面３ａ１に対して上方にずれて当該第１天井面３ａ１に対して段差を有しており、第１天井面３ａ１と第２天井面３ａ２との間はこれらの面に垂直な連結面３ａ３によって互いに連結されている。このように、第２スラブ部６ｂを第１スラブ部６ａに対して上階側にずらして天井高を高めることにより、二階部分３の天井面３ａには、第１天井面３ａ１と第１天井面３ａ１よりも高い第２天井面３ａ２とからなる段差が生じることになる。
【００２８】
上記のように、二階部分３の天井面３ａが、第１天井面３ａ１と第２天井面３ａ２とが連結面３ａ３により連結された単純形状の段差を有する形状であると、この段差により空間に不連続感が生じて天井の美観が損なわれることになる。そこで、本発明の建物１では、第１天井面３ａ１および第２天井面３ａ２のうち下方側となる第１天井面３ａ１の側部に、当該第１天井面３ａ１に沿って側方に向けて張り出す張出し部１０を設けて、当該天井の美観を高めるようにしている。
【００２９】
図２、図３に示すように、張出し部１０は第１天井面３ａ１の外周縁に沿って延びる長い板状に形成されており、下面１０ａが第１天井面３ａ１と同一面を形成するように第１天井面３ａ１および第２天井面３ａ２に対して平行に配置されて、その側辺部分において第１スラブ部６ａの側部に固定されている。また、張出し部１０の厚みは第１天井面３ａ１と第２天井面３ａ２との段差（高さの差）よりも小さくなっており、これにより張出し部１０は第２天井面３ａ２に対して間隔を空けて重ねて配置されている。
【００３０】
このように、本発明の建物１では、第１天井面３ａ１と第２天井面３ａ２との段差部分に張出し部１０を設けるようにしたので、天井面３ａに単純な段差が設けられる場合に比べて当該段差部分における空間の連続感を高めて、当該天井の美観を高めることができる。
【００３１】
張出し部１０は、第１スラブ部６ａの第２スラブ部６ｂに対して段差を生じる全ての外周縁に沿って設けられるのが好ましい。例えば、第１スラブ部６ａが第２スラブ部６ｂに対して二辺において段差を生じる場合には、図３に示すように、張出し部１０はそれぞれの辺の部分に沿って延びるＬ字形状に形成されるのが好ましい。また、第１スラブ部６ａが第２スラブ部６ｂに対して三辺において段差を生じる場合には、張出し部１０はそれぞれの辺の部分に沿って延びるコ字形状に形成されるのが好ましく、さらに第１スラブ部６ａが第２スラブ部６ｂを矩形形状に囲むように四辺において段差を生じる場合には張出し部１０はそれぞれの辺の部分に沿って延びる矩形環状に形成されるのが好ましい。このように、第１スラブ部６ａの第２スラブ部６ｂに対して段差を生じる全ての外周縁に沿って張出し部１０を設けることにより、第１天井面３ａ１と第２天井面３ａ２との間に生じる全ての段差部分について空間の連続感を高めて、二階部分３の天井の美観をより高めることができる。なお、これらの場合においては、張出し部１０は、各辺に対応した部分を全て一体に形成した構成としてもよく、または図示するように別々の板体を組み合わせて形成した構成としてよい。
【００３２】
張出し部１０は、例えば、板状の下地材の表面に石膏ボード等を貼り付けた構成とすることができる。この場合、第１スラブ部６ａを構成する下地材や石膏ボードを延長して張出し部１０を構成する下地材や石膏ボードと一体に形成することにより、張出し部１０を第１スラブ部６ａと一体に形成することもできる。これにより、張出し部１０を第１スラブ部６ａとともに容易に形成することができる。
【００３３】
張出し部１０の厚みは、例えば１２．５ｃｍ程度とすることができる。張出し部１０をこの程度の厚みとすることにより、第２天井面３ａ２との間に適度な間隔を保持しつつ所望の強度を確保することができる。
【００３４】
例えば図１において一階部分２と二階部分３とを隔てる床スラブ５に適用した場合を示すように、本発明の建物１では、一階部分２と二階部分３とを隔てる床スラブ５の一部を他の部分に対して下階側にずらすことにより、二階部分３の床面３ｂを部分的に下げて当該領域における天井高を高めることもできる。このような構成により、二階部分３の天井高を高めた場合においても、上記のように床スラブ６の一部を上階側に向けてずらした場合と同様に、二階部分３に設けられるリビングルーム等の居室に開放感を与えて当該居室を広く感じさせることができる。
【００３５】
より具体的に説明すると、床スラブ５は、この建物１の躯体に基準高さで支持されて床スラブ５の一部を構成する第１スラブ部５ａと、この第１スラブ部５ａに対して下階側つまり一階部分２の側に所定高さだけずれて（下げて）配置される第２スラブ部５ｂとを有している。
【００３６】
上記した第２スラブ部６ｂと同様に、第２スラブ部５ｂも、床スラブ５の建物１の鉄骨造の躯体のグリッドに合わせた領域に設けることができる。このような構成により、第２スラブ部５ｂを躯体に容易な構成で確実に支持させることができる。
【００３７】
第１スラブ部５ａに対する第２スラブ部５ｂの下階側へのずらし量（シフト量）は、例えば３０ｃｍ程度に設定することができる。
【００３８】
第１スラブ部５ａと第２スラブ部５ｂは、床スラブ５の厚み（一階部分２の天井面２ａから二階部分３の床面３ｂまでの厚み）が略一定となる領域に設けられ、つまり第２スラブ部５ｂの厚みは第１スラブ部５ａの厚みと略同一となっている。
【００３９】
このような構成により、第１スラブ部５ａの上面により形成される第１床面３ｂ１に対して、第２スラブ部５ｂの上面により形成される第２床面３ｂ２を下方側にずらして配置するようにして、当該第２床面３ｂ２の領域において床スラブ５の厚みを減らすことなく二階部分３の天井高を高めることができる。つまり、床スラブ５の厚みを確保して一階部分２と二階部分３との間の床スラブ５による遮音性を確保しつつ二階部分３の天井高を高くすることができる。この場合においても、第１スラブ部５ａと第２スラブ部５ｂは、何れも床スラブ５の厚みが一定の領域に設けられることになる。
【００４０】
なお、床スラブ５の第２スラブ部５ｂが第１スラブ部５ａに対して一階部分２の側に所定高さだけ下げて配置され、一方で一階部分２の床面２ｂは一定高さであるので、一階部分２の第２天井面２ａ２が設けられる領域は第１天井面２ａ１が設けられる領域よりも天井高が低くなる。したがって、第２天井面２ａ２は、例えば納戸などの天井高をあまり必要としない領域に設けられるようにするのが好ましい。
【００４１】
第２スラブ部５ｂを第１スラブ部５ａに対して下階側にずらして二階部分３の天井高を高めた構成とすると、一階部分２の天井面２ａには、第１スラブ部５ａの下面により形成される第１天井面２ａ１と、第２スラブ部５ｂの下面により形成される第２天井面２ａ２とが設けられることになる。第２天井面２ａ２は、第１天井面２ａ１に対して下方にずれて当該第１天井面２ａ１に対して段差を有しており、第１天井面２ａ１と第２天井面２ａ２との間はこれらの面に垂直な連結面２ａ３によって互いに連結されている。このように、一階部分２の天井面２ａには、第１天井面２ａ１と第１天井面２ａ１よりも低い第２天井面２ａ２とからなる段差が生じることになるが、この場合においても、第１天井面２ａ１および第２天井面２ａ２のうち下方側となる第２天井面２ａ２の側部に、当該第２天井面２ａ２に沿って側方に向けて張り出す張出し部１０を設けることで、当該天井の美観を高めることができる。
【００４２】
なお、一階部分２の第２天井面２ａ２の側部に設けられる張出し部１０の構成は、上記した二階部分３の第１天井面３ａ１の側部に設けられる張出し部１０の構成と基本的に同一であるので、その構成の詳細な説明は省略する。
【００４３】
図２に示すように、張出し部１０とこの張出し部１０に間隔を空けて重なる第２天井面３ａ２との間には照明器具２０を配置することができる。照明器具２０としては、例えば発光ダイオードを用いたＬＥＤ灯や蛍光灯、ネオン管等の放電ガス灯、白熱灯などの種々の形式のものや、棒状、球状、板状などの種々の形状のものを用いることができる。このように、張出し部１０と第２天井面３ａ２との間に照明器具２０を配置することにより、照明器具２０によって第２天井面３ａ２を照らして第２天井面３ａ２に張出し部１０の影が生じにくくし、また、照明器具２０から第２天井面３ａ２に向けて照射される光により張出し部１０と第２天井面３ａ２との段差部分における空間の広がりを演出して、二階部分３の天井の美観をさらに高めることができる。
【００４４】
張出し部１０と第２天井面３ａ２との間は、張出し部１０の長手方向に沿って複数の照明器具２０を並べて配置した構成とすることもできる。この場合、第２天井面３ａ２のより広い範囲に光が当たるようにして天井の美観をさらに高めることができる。
【００４５】
また、照明器具２０として、例えば複数の発光ダイオード（ＬＥＤ光源）を直線状に並べて１つのユニットとした棒状のＬＥＤ灯や棒状の蛍光灯など、発光する部分が所定長さの直線状となる棒状のものを用いることができる。この場合、照明器具２０は、その長手方向を張出し部１０の長手方向に沿う方向に向けて配置される。このような棒状の照明器具２０を用いることにより、少ない照明器具２０によって第２天井面３ａ２のより広い範囲を効率良く照らすことができる。
【００４６】
なお、照明器具２０は、第２天井面３ａ２で反射した光によって室内空間を照らす間接照明としても機能する。
【００４７】
図２に示すように、照明器具２０は、張出し部１０の上面に取り付けられる構成とすることができる。このような構成とすることにより、照明器具２０を張出し部１０の上面に取付ける際に照明器具２０を張出し部１０の上に置いておくことができ、これにより照明器具２０を張出し部１０への取付け作業を容易にすることができる。
【００４８】
照明器具２０は、張出し部１０の上面に限らず、張出し部１０と第２天井面３ａ２との間に配置されていれば、連結面３ａ３や第２天井面３ａ２に取り付ける構成とすることもできる。これらの場合、照明器具２０の配線を床スラブ６の内部へ引き込み易くして、照明器具２０の設置作業を容易にすることができる。
【００４９】
張出し部１０と第２天井面３ａ２との間に複数本の棒状の照明器具２０を配置する場合には、図３に示すように、一方の照明器具２０に対して、他方の照明器具２０を当該一方の照明器具２０に対して平行であるとともに当該一方の照明器具２０に対して側方に向けて間隔を空け、且つ、互いの発光部が所定範囲で重複するように長手方向にずらして配置した構成とすることができる。張出し部１０に３本以上の棒状の照明器具２０を配置する場合には、これらの照明器具２０を２列に分けて、一方の列と他方の列とに長手方向に向けて交互に照明器具２０を配置するのが好ましい。このような配置とすることにより、張出し部１０にその長手方向に沿って複数本の棒状の照明器具２０を配置する構成としても、隣接する照明器具２０の間に光が照射されない部分が生じることを無くして第２天井面３ａ２をムラなく照らすことができる。
【００５０】
上記した構成においては、複数本の棒状の照明器具２０として、互いに同一長さで同一形状のものを用いるのが好ましい。これにより、張出し部１０の各部位に均等に照明器具２０を配置して、これら複数の照明器具２０により第２天井面３ａ２をムラなく照らすことができる。
【００５１】
また、張出し部１０に３本以上の棒状の照明器具２０を配置する場合には、それぞれの照明器具２０の発光部が長手方向の一端側において他の照明器具２０の発光部と重複する長さと、長手方向の他端側において他の照明器具２０の発光部と重複する長さとを同じ長さに設定するのが好ましい。これにより、それぞれの照明器具２０の発光部が互いに重複する部分における光量を均一化して、これら複数の照明器具２０により第２天井面３ａ２をさらにムラなく照らすことができる。
【００５２】
張出し部１０に配置された棒状の照明器具２０の長手方向の端部が、例えば連結面３ａ３や室内の他の壁等に対向して配置される場合には、当該照明器具２０の長手方向の端部を連結面３ａ３等の壁に隣接させて配置するのが好ましい。例えば、照明器具２０の長手方向の端部と連結面３ａ３等の壁との間隔は３０ｃｍ以下とするのが好ましく、２０ｃｍ以下とするのがより好ましく、１０ｃｍ以下とすればさらに好ましく、最も好ましいのは５ｃｍ以下である。このように、照明器具２０の長手方向の端部を連結面３ａ３等の壁に隣接させた配置とすることにより、張出し部１０の端部領域における光のムラを抑制して、天井の美観をより高めることができる。
【００５３】
なお、図３に示すように、張出し部１０が角部を有する形状に形成されている場合には、張出し部１０のそれぞれの辺部分において最も角部の側に配置されている照明器具２０の長手方向の端部を、それぞれ対応する連結面３ａ３に隣接させて配置するのが好ましい。このような構成により、張出し部１０の角部においても、照明器具２０から適切な光量の光を照射させ、これにより張出し部１０の角部に対応した領域における光のムラを抑制して天井の美観をより高めることができる。
【００５４】
図４に変形例として示すように、張出し部１０が角部を有する形状に形成されている場合においては、張出し部１０の角部に対応する部分に、長手方向の中央部分において直角に曲がるＬ字形状のＬ字型照明器具２１を配置することもできる。このＬ字型照明器具２１は、例えば、複数のＬＥＤ光源をＬ字に並べて配列した構成のものとすることができる。このように、張出し部１０の角部にＬ字型照明器具２１を配置した構成とすることにより、張出し部１０の角部に対応した領域における光のムラをさらに抑制して天井の美観をより高めることができる。
【００５５】
各階層の天井面２ａ、３ａ、４ａは、種々の色や模様の壁紙を貼った構成とすることができるが、上記のように張出し部１０と第２天井面３ａ２との間に照明器具２０を配置した構成とした場合には、第２天井面３ａ２に貼る壁紙として白色系の壁紙を用いるのが好ましい。白色系の壁紙としては、例えば白色の壁紙、薄いベージュ色の壁紙などの光の反射率が高いものを採用することができる。また、白色系の壁紙は、光沢を有する素材で構成されているのがなお好ましい。このように、照明器具２０によって照らされる第２天井面３ａ２に貼る壁紙として白色系の壁紙を用いることにより、照明器具２０から第２天井面３ａ２に向けて照射された光を当該第２天井面３ａ２によって室内空間に向けて効率良く反射させて、照明器具２０により二階部分３の室内空間をより明るく照らすことができる。
【００５６】
また、上記のように張出し部１０と第２天井面３ａ２との間に照明器具２０を配置した構成とした場合には、第２天井面３ａ２に貼る壁紙として、表面に粗面処理が施されたものを用いるのが好ましい。粗面処理が施された壁紙としては、例えば、所定のパターンの模様やランダムな模様等が表面に凹凸を有して施されたものを採用することができる。照明器具２０により照らされる第２天井面３ａ２に貼る壁紙として、粗面処理が施された壁紙を用いることにより、照明器具２０から第２天井面３ａ２に照射された光により第２天井面３ａ２に粗面処理に対応した光の陰影を生じさせて、天井部分の美観をより高めることができる。
【００５７】
図５に示すように、張出し部１０は、その外周縁に上方に向けて突出する隠し壁１０ｂを備えた構成とすることもできる。この場合、隠し壁１０ｂは少なくとも照明器具２０と同程度の高さにまで上方に向けて突出して照明器具２０の側方を覆う構成とされるのが好ましい。このような隠し壁１０ｂを設けることにより、照明器具２０が発する光が直接室内の空間に照射されることを防止するとともに照明器具２０が室内空間から目視されることを防止して、当該天井の美観をより高めることができる。なお、隠し壁１０ｂは図示する形状に限らず、照明器具２０の側方を覆って上記効果を生じることができる形状であれば、種々の形状とすることができる。
【００５８】
図６は本発明が適用された住宅の一例を示す図であって、（ａ）は二階部分の間取り図であり、（ｂ）は三階部分の間取り図である。また、図７は本発明が適用された住宅の他の例を示す図であって、（ａ）は一階部分の間取り図であり、（ｂ）は二階部分の間取り図である。さらに、図８は本発明が適用された住宅のさらに他の例を示す図であって、（ａ）は一階部分の間取り図であり、（ｂ）は二階部分の間取り図である。
【００５９】
以下では、図６〜図８に基づき、本発明が適用された建物において天井の段差部分や張出し部が間取り中のどの部分に配置することができるのかを例示説明する。
【００６０】
図６に示す住宅（建物）３０では、図６（ａ）に示す二階部分にはリビングルーム３１、ダイニングルーム３２、キッチン３３、階段室３４等が設けられ、図６（ｂ）に示す三階部分には、階段室３４に連なるホール３５、寝室３６および納戸３７等が設けられている。また、二階部分および三階部分には、それぞれベランダ３８、３９が設けられている。なお、図示は省略するが、この住宅３０の一階部分には玄関や浴室等が設けられている。
【００６１】
この住宅３０では、二階部分と三階部分とを隔てる床スラブのうち、ダイニングルーム３２およびその横に設置されたトイレ４０の天井部分を構成する領域Ａ１の部分を上階側にずらすことで、ダイニングルーム３２およびその横に設置されたトイレ４０の領域Ａ１における天井高を高めるようにしている。そして、このように天井高を高めることによりダイニングルーム３２の天井部分に形成される段差に、図２に示すのと同様の構造を有するＬ字形状の張出し部１０を設けるようにしている。このような構成により、ダイニングルーム３２の天井高を高めつつ、そのダイニングルーム３２の天井の美観を高めることができる。なお、この住宅３０では、二階部分の天井が領域Ａ１において高められることにより、三階部分の領域Ａ１に対応したホール３５の床面が高められることになる。
【００６２】
図７に示す住宅（建物）４１では、図７（ａ）に示す一階部分には、ガレージ（車庫）４２、玄関４３、２つの寝室４４、４５、納戸４６および階段室４７等が設けられ、図７（ｂ）に示す二階部分には、リビングルーム４８、ダイニングルーム４９、キッチン５０、納戸５１、和室５２、廊下５３、浴室５４等が設けられている。また、二階部分にはベランダ５５が設けられている。
【００６３】
この住宅４１では、一階部分と二階部分とを隔てる床スラブのうち、リビングルーム４８の床部分を構成する領域Ａ２の部分を下階側にずらすことで、リビングルーム４８の領域Ａ２における床面を下げてその天井高を高めるようにしている。一方、この住宅４１では、二階部分の床が領域Ａ２において下げられることにより、一階部分の領域Ａ２に対応した納戸４６および寝室４５の一部の天井面が下げられることになる。納戸４６はその天井部分の全体が下げられ、その仕切り壁の部分に段差が配置されることでその天井部分に段差は生じていない。一方、寝室４５にはリビングルーム４８の床部分が下げられることによる段差が生じるので、この段差に、図２に示すのと同様の構造を有する張出し部１０を設けるようにしている。このような構成により、リビングルーム４８の天井高を高めつつ、その下階側に設けられる寝室４５の天井の美観を高めることができる。
【００６４】
図８に示す住宅（建物）５６では、図８（ａ）に示す一階部分には、玄関５７、２つの寝室５８、５９、廊下６０、和室６１、納戸６２および階段室６３等が設けられ、図８（ｂ）に示す二階部分には、リビングルーム６４、ダイニングルーム６５、キッチン６６、和室６７、洗面室６８、浴室６９等が設けられている。また、二階部分にはベランダ７０が設けられている。
【００６５】
この住宅５６では、一階部分と二階部分とを隔てる床スラブのうち、リビングルーム６４の床部分を構成する領域Ａ３の部分を下階側にずらすことで、リビングルーム６４の領域Ａ３における床面を下げてその天井高を高めるようにしている。一方、この住宅５６では、二階部分の床が領域Ａ３において下げられることにより、一階部分の領域Ａ３に対応した寝室５８の一部および廊下６０の天井面が下げられることになる。寝室５８にはリビングルーム６４の床部分が下げられることによる段差が生じるので、この段差の二辺に、図２に示すのと同様の構造を有するＬ字形状の張出し部１０を設けるようにしている。また、廊下６０の玄関５７に面する部分および階段室６３の側に面する部分には、それぞれリビングルーム６４の床部分が下げられることによる段差が生じるので、これらの段差にも、それぞれ図２に示すのと同様の構造を有する張出し部１０を設けるようにしている。このような構成により、リビングルーム６４の天井高を高めつつ、その下階側に設けられる寝室５８や廊下６０の天井の美観を高めることができる。
【００６６】
本発明は前記実施の形態に限定されるものではなく、その要旨を逸脱しない範囲で種々変更可能であることはいうまでもない。
【００６７】
例えば、前記実施の形態においては、三階建て等の工業化住宅に本発明を適用するようにしているが、木造住宅等の他の構成の建物に適用することもできる。また、建物の階層も、二階建てや三階建てに限らず複数の階層を備えていれば何階建てであってもよい。
【００６８】
さらに、床スラブの天井高を高めるためにずらされる領域は、上記の間取り等で例示した領域に限らず、ユニット浴室や階段室以外の何れの居室ないし空間の天井部分に設けてもよい。
【００６９】
さらに、吹抜け７に連なる床スラブ６の端部に張出し部１０と同様の形状の突出壁部７１を設け、この突出壁部７１の上面に照明器具７２を設けた構成とすることもできる。この場合、床スラブ６と吹抜け７との境界部分における天井と、張出し部１０が設けられる部分における天井とのデザインの一体感を高めて、当該天井の美観をより高めることができる。
【産業上の利用可能性】
【００７０】
本発明は、複数階層の建物を建築する際に利用することができる。
【符号の説明】
【００７１】
１      建物
２      一階部分
２ａ    天井面
２ａ１  第１天井面
２ａ２  第２天井面
２ｂ    床面
２ａ３  連結面
３      二階部分
３ａ    天井面
３ａ１  第１天井面
３ａ２  第２天井面
３ａ３  連結面
３ｂ    床面
３ｂ１  第１床面
３ｂ２  第２床面
４      三階部分
４ａ    天井面
４ｂ    床面
４ｂ１  第１床面
４ｂ２  第２床面
５      床スラブ
５ａ    第１スラブ部
５ｂ    第２スラブ部
６      床スラブ
６ａ    第１スラブ部
６ｂ    第２スラブ部
７      吹抜け
１０      張出し部
１０ａ    下面
１０ｂ    隠し壁
２０      照明器具
２１      Ｌ字型照明器具
３０      住宅（建物）
３１      リビングルーム
３２      ダイニングルーム
３３      キッチン
３４      階段室
３５      ホール
３６      寝室
３７      納戸
３８、３９  ベランダ
４０      トイレ
４１      住宅（建物）
４２      ガレージ
４３      玄関
４４、４５  寝室
４６      納戸
４７      階段室
４８      リビングルーム
４９      ダイニングルーム
５０      キッチン
５１      階段室
５２      和室
５３      廊下
５４      浴室
５５      ベランダ
５６      住宅（建物）
５７      玄関
５８、５９  寝室
６０      廊下
６１      和室
６２      納戸
６３      階段室
６４      リビングルーム
６５      ダイニングルーム
６６      キッチン
６７      和室
６８      洗面室
６９      浴室
７０      ベランダ
７１      突出壁部
７２      照明器具
Ａ１      領域
Ａ２      領域
Ａ３      領域
【図１】
0006700023.tif 000002
【図２】
0006700023.tif 000003
【図３】
0006700023.tif 000004
【図４】
0006700023.tif 000005
【図５】
0006700023.tif 000006
【図６】
0006700023.tif 000007
【図７】
0006700023.tif 000008
【図８】
0006700023.tif 000009